【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
ワイヤレスネットワーク上で第１デバイス及び第２デバイスから第３デバイスへの送信を確認応答する方法であって、
前記第３デバイスによって、アグリゲートされた媒体アクセス制御プロトコルデータユニットの送信のための時間レファレンスを含むトリガメッセージを送信することと、
前記第３デバイスによって、第１媒体アクセス制御プロトコルデータユニット及び第２媒体アクセス制御プロトコルデータユニットを含む前記アグリゲートされた媒体アクセス制御プロトコルデータユニットを生成することと、ここで、前記第１媒体アクセス制御データユニットは、前記第１デバイスからの第１メッセージの受信を確認応答するとともに、前記第１デバイスを識別する第１宛先アドレスフィールドを含み、前記第２媒体アクセス制御プロトコルデータユニットは、前記第２デバイスからの第２メッセージの受信を確認応答するとともに、前記第２デバイスを識別する第２宛先アドレスフィールドを含む、    前記第３デバイスによって、前記ワイヤレスネットワーク上で前記アグリゲートされた媒体アクセス制御プロトコルデータユニットを送信することと、
を備える、方法。
【請求項２】
前記アグリゲートされた媒体アクセス制御プロトコルデータユニットは、前記アグリゲートされた媒体アクセス制御プロトコルデータユニットが、相違する宛先アドレスフィールドを有する１つ超の媒体アクセス制御プロトコルデータユニットを含むかどうか、のインジケータをさらに含むように生成される、請求項１記載の方法。
【請求項３】
前記トリガメッセージは、アクセスポイントによって送信される、請求項１記載の方法。
【請求項４】
前記トリガメッセージは、クリアツートランスミット（ＣＴＸ）メッセージである、請求項１記載の方法。
【請求項５】
ワイヤレスネットワーク上で第１デバイス及び第２デバイスからの送信を確認応答するための装置であって、
トリガメッセージを送信するための手段と、ここで、前記トリガメッセージは、アグリゲートされた媒体アクセス制御プロトコルデータユニットの送信のための時間レファレンスを含む、
第１媒体アクセス制御プロトコルデータユニット及び第２媒体アクセス制御プロトコルデータユニットを備える前記アグリゲートされた媒体アクセス制御プロトコルデータユニットを生成するための手段と、ここで、前記第１媒体アクセス制御プロトコルデータユニットは、前記第１デバイスからの第１メッセージの受信を確認応答するとともに、前記第１デバイスを識別する第１宛先アドレスフィールドを含み、前記第２媒体アクセス制御プロトコルデータユニットは、前記第２デバイスからの第２メッセージの受信を確認応答するとともに、前記第２デバイスを識別する第２宛先アドレスフィールドを含む、
前記ワイヤレスネットワーク上で前記アグリゲートされた媒体アクセス制御プロトコルデータユニットを送信するための手段と、
を備える、装置。
【請求項６】
生成するための前記手段は、前記アグリゲートされた媒体アクセス制御プロトコルデータユニットが相違する宛先アドレスフィールドを有する１つ超の媒体アクセス制御プロトコルデータユニットを含むかどうか、のインジケータを含むように、前記アグリゲートされた媒体アクセス制御プロトコルデータユニットを生成するように構成される、請求項５に記載の装置。
【請求項７】
前記トリガメッセージは、アクセスポイントによって送信される、請求項５に記載の装置。
【請求項８】
ワイヤレス通信の方法であって、
第１デバイスによるメッセージの送信の受信を確認応答するアグリゲートされた媒体アクセス制御プロトコルデータユニットの受信のための時間レファレンスを含むトリガメッセージを受信することと、
前記第１デバイスによって、第２デバイスから前記アグリゲートされた媒体アクセス制御プロトコルデータユニットを受信することと、ここにおいて、前記アグリゲートされた媒体アクセス制御プロトコルデータユニットは、１つ超の媒体アクセス制御プロトコルデータユニットを含む、
前記第１デバイスによって、前記アグリゲートされた媒体アクセス制御プロトコルデータユニットを復号することと、
前記第１デバイスによって、前記アグリゲートされた媒体アクセス制御プロトコルデータユニットの前記復号に基づいて、前記アグリゲートされた媒体アクセス制御プロトコルデータユニットが前記第１デバイスによる前記メッセージの前記送信を確認応答しているかどうかを決定することと、
を備える、方法。
【請求項９】
前記第１デバイスが前記アグリゲートされた媒体アクセス制御プロトコルデータユニット中に含まれる媒体アクセス制御プロトコルデータユニットによってユニキャストアドレス指定されるかどうかを決定することと、前記第１デバイスが前記媒体アクセス制御プロトコルデータユニットによってユニキャストアドレス指定されていることに応答して、前記メッセージが確認応答されていると決定することと、をさらに備える、請求項８記載の方法。
【請求項１０】
前記時間レファレンスを決定するために、前記トリガメッセージを復号することと、
前記時間レファレンスに基づいて、前記アグリゲートされた媒体アクセス制御プロトコルデータユニットの前記受信の前にスリープステートに入ることと、
をさらに備える、請求項８記載の方法。
【請求項１１】
前記第１デバイスは局であり、前記第２デバイスはアクセスポイントである、請求項１０記載の方法。
【請求項１２】
ワイヤレス通信のための装置であって、
装置によるメッセージの送信の受信を確認応答するアグリゲートされた媒体アクセス制御プロトコルデータユニットの受信のための時間レファレンスを含むトリガメッセージを受信するための手段と、
前記アグリゲートされた媒体アクセス制御プロトコルデータユニットを受信するための手段と、ここにおいて、前記アグリゲートされた媒体アクセス制御プロトコルデータユニットは、１つ超の媒体アクセス制御プロトコルデータユニットを含む、
前記アグリゲートされた媒体アクセス制御プロトコルデータユニットを復号するための手段と、
前記アグリゲートされた媒体アクセス制御プロトコルデータユニットの前記復号に基づいて、前記アグリゲートされた媒体アクセス制御プロトコルデータユニットが前記装置によるメッセージの送信を確認応答しているかどうかを決定するための手段と、
を備える、装置。
【請求項１３】
決定するための前記手段は、前記装置が前記アグリゲートされた媒体アクセス制御プロトコルデータユニット中に含まれる媒体アクセス制御プロトコルデータユニットによってユニキャストアドレス指定されるかどうかを決定することと、前記装置が前記媒体アクセス制御プロトコルデータユニットによってユニキャストアドレス指定されていることに応答して、前記メッセージが確認応答されると決定することと、を行うようにさらに構成される、請求項１２記載の装置。
【請求項１４】
復号するための前記手段は、前記装置による前記メッセージの前記送信の受信を確認応答する前記アグリゲートされた媒体アクセス制御プロトコルデータユニットの受信のための時間レファレンスを決定するために前記トリガメッセージを復号することと、前記時間レファレンスに基づいて、前記アグリゲートされた媒体アクセス制御プロトコルデータユニットの前記受信の前にスリープステートに入ることと、を行うようにさらに構成される、請求項１２記載の装置。
【請求項１５】
コンピュータ上で実行されたときに、前記コンピュータに請求項１〜４または請求項８〜１０のうちの一項にしたがう１つの方法を実行させるための命令を備える、コンピュータプログラム。
【手続補正２】
【補正対象書類名】明細書
【補正対象項目名】００９４
【補正方法】変更
【補正の内容】
【００９４】
[00101]上記は本開示の態様に向けられるが、開示の他の態様及びさらなる態様は、その基本的な範囲から逸脱することなく考案され得、その範囲は続く特許請求の範囲によって決定される。
以下に、本願の出願当初の特許請求の範囲に記載された発明を付記する。
［Ｃ１］
ワイヤレスネットワーク上で第１デバイス及び第２デバイスから第３デバイスへの送信を確認応答する方法であって、
前記第３デバイスによって、第１媒体アクセス制御プロトコルデータユニット及び第２媒体アクセス制御プロトコルデータユニットを含むアグリゲートされた媒体アクセス制御プロトコルデータユニットを生成することと、ここで、前記第１媒体アクセス制御データユニットは、前記第１デバイスからの第１メッセージの受信を確認応答するとともに、前記第１デバイスを識別する第１宛先アドレスフィールドを含み、前記第２媒体アクセス制御プロトコルデータユニットは、前記第２デバイスからの第２メッセージの受信を確認応答するとともに、前記第２デバイスを識別する第２宛先アドレスフィールドを含む、    前記第３デバイスによって、前記ワイヤレスネットワーク上で前記アグリゲートされた媒体アクセス制御プロトコルデータユニットを送信することと、
を備える、方法。
［Ｃ２］
前記第１メッセージ及び前記第２メッセージを含むマルチユーザ送信を受信することをさらに備える、Ｃ１記載の方法。
［Ｃ３］
前記マルチユーザ送信は、マルチユーザ多入力多出力を使用する、Ｃ２記載の方法。
［Ｃ４］
前記マルチユーザ送信は、直交周波数分割多重化を使用する、Ｃ２記載の方法。
［Ｃ５］
前記アグリゲートされた媒体アクセス制御プロトコルデータユニットは、前記アグリゲートされた媒体アクセス制御プロトコルデータユニットが、相違する宛先アドレスフィールドを有する１つ超の媒体アクセス制御プロトコルデータユニットを含むかどうか、のインジケータをさらに含むように生成される、Ｃ１記載の方法。
［Ｃ６］
第４デバイスから第３メッセージを受信することをさらに備え、ここにおいて、前記アグリゲートされた媒体アクセス制御プロトコルデータユニットは、前記第３メッセージの受信を確認応答し、前記第４デバイスを識別する第３宛先アドレスフィールドを含む、第３媒体アクセス制御プロトコルデータユニットをさらに含むように生成される、Ｃ１記載の方法。
［Ｃ７］
前記アグリゲートされた媒体アクセス制御プロトコルデータユニットの前記送信のための時間レファレンスを含むトリガメッセージを送信することをさらに備える、Ｃ１記載の方法。
［Ｃ８］
前記トリガメッセージは、アクセスポイントによって送信される、Ｃ７記載の方法。
［Ｃ９］
前記トリガメッセージは、クリアツートランスミット（ＣＴＸ）メッセージである、Ｃ７記載の方法。
［Ｃ１０］
前記第１デバイス及び前記第２デバイスは局であり、前記第３デバイスはアクセスポイントである、Ｃ１記載の方法。
［Ｃ１１］
ワイヤレスネットワーク上で第１デバイス及び第２デバイスからの送信を確認応答するための装置であって、
第１媒体アクセス制御プロトコルデータユニット及び第２媒体アクセス制御プロトコルデータユニットを含むアグリゲートされた媒体アクセス制御プロトコルデータユニットを生成するように構成されたプロセッサと、ここで、前記第１媒体アクセス制御データユニットは、前記第１デバイスからの第１メッセージの受信を確認応答するとともに、前記第１デバイスを識別する第１宛先アドレスフィールドを含み、前記第２媒体アクセス制御プロトコルデータユニットは、前記第２デバイスからの第２メッセージの受信を確認応答するとともに、前記第２デバイスを識別する第２宛先アドレスフィールドを含む、
前記ワイヤレスネットワーク上で前記アグリゲートされた媒体アクセス制御プロトコルデータユニットを送信するように構成された送信器と、
を備える、装置。
［Ｃ１２］
マルチユーザ送信中で前記第１メッセージ及び前記第２メッセージを受信するように構成された受信器をさらに備える、Ｃ１１記載の装置。
［Ｃ１３］
前記マルチユーザ送信は、マルチユーザ多入力多出力を使用する、Ｃ１２記載の装置。
［Ｃ１４］
前記マルチユーザ送信は、直交周波数分割多重化を使用する、Ｃ１２記載の装置。
［Ｃ１５］
前記プロセッサは、前記アグリゲートされた媒体アクセス制御プロトコルデータユニットが相違する宛先アドレスフィールドを有する１つ超の媒体アクセス制御プロトコルデータユニットを含むかどうか、のインジケータを含むように、前記アグリゲートされた媒体アクセス制御プロトコルデータユニットを生成するようにさらに構成される、Ｃ１１記載の装置。
［Ｃ１６］
前記受信器は、第３デバイスから第３メッセージを受信するようにさらに構成され、前記プロセッサは、第３媒体アクセス制御プロトコルデータユニットをさらに含むように前記アグリゲートされた媒体アクセス制御プロトコルデータユニットを生成するようにさらに構成され、前記第３媒体アクセス制御プロトコルデータユニットは、前記第３メッセージの受信を確認応答するとともに、前記第３デバイスを識別する第３宛先アドレスフィールドを含む、Ｃ１２記載の装置。
［Ｃ１７］
前記プロセッサは、前記アグリゲートされた媒体アクセス制御プロトコルデータユニットの前記送信のための時間レファレンスを含むトリガメッセージを送信するようにさらに構成される、Ｃ１１記載の装置。
［Ｃ１８］
前記トリガメッセージは、アクセスポイントによって送信される、Ｃ１７記載の装置。
［Ｃ１９］
前記トリガメッセージは、クリアツートランスミット（ＣＴＸ）メッセージである、Ｃ１７記載の装置。
［Ｃ２０］
前記第１デバイス及び前記第２デバイスは局であり、前記装置はアクセスポイントである、Ｃ１１記載の装置。
［Ｃ２１］
ワイヤレスネットワーク上で第１デバイス及び第２デバイスからの送信を確認応答するための装置であって、
第３デバイスによって、第１媒体アクセス制御プロトコルデータユニット及び第２媒体アクセス制御プロトコルデータユニットを備えるアグリゲートされた媒体アクセス制御プロトコルデータユニットを生成するための手段と、ここで、前記第１媒体アクセス制御プロトコルデータユニットは、前記第１デバイスからの第１メッセージの受信を確認応答するとともに、前記第１デバイスを識別する第１宛先アドレスフィールドを含み、前記第２媒体アクセス制御プロトコルデータユニットは、前記第２デバイスからの第２メッセージの受信を確認応答するとともに、前記第２デバイスを識別する第２宛先アドレスフィールドを含む、
前記ワイヤレスネットワーク上で前記アグリゲートされた媒体アクセス制御プロトコルデータユニットを送信するための手段と、
を備える、装置。
［Ｃ２２］
実行されると、プロセッサにワイヤレスネットワーク上で第１デバイス及び第２デバイスから第３デバイスへの送信を確認応答する方法を実行させる命令を備える、コンピュータ可読記憶媒体であって、前記方法は、
前記第３デバイスによって、第１媒体アクセス制御プロトコルデータユニット及び第２媒体アクセス制御プロトコルデータユニットを備えるアグリゲートされた媒体アクセス制御プロトコルデータユニットを生成することと、ここで、前記第１媒体アクセス制御プロトコルデータユニットは、前記第１デバイスからの第１メッセージの受信を確認応答するとともに、前記第１デバイスを識別する第１宛先アドレスフィールドを含み、前記第２媒体アクセス制御プロトコルデータユニットは、前記第２デバイスからの第２メッセージの受信を確認応答するとともに、前記第２デバイスを識別する第２宛先アドレスフィールドを含む、
前記第３デバイスによって、前記ワイヤレスネットワーク上で前記アグリゲートされた媒体アクセス制御プロトコルデータユニットを送信することと、
を備える、コンピュータ可読記憶媒体。
［Ｃ２３］
前記第１メッセージ及び前記第２メッセージを含むマルチユーザ送信を受信することをさらに備える、Ｃ２２記載のコンピュータ可読記憶媒体。
［Ｃ２４］
前記マルチユーザ送信は、マルチユーザ多入力多出力を使用する、Ｃ２３記載のコンピュータ可読記憶媒体。
［Ｃ２５］
前記マルチユーザ送信は、直交周波数分割多重化を使用する、Ｃ２３記載のコンピュータ可読記憶媒体。
［Ｃ２６］
前記方法は、前記アグリゲートされた媒体アクセス制御プロトコルデータユニットが相違する宛先アドレスフィールドを有する１つ超の媒体アクセス制御プロトコルデータユニットを含むかどうか、のインジケータを含むように、前記アグリゲートされた媒体アクセス制御プロトコルデータユニットを生成することをさらに備える、Ｃ２２記載のコンピュータ可読記憶媒体。
［Ｃ２７］
前記方法は、第４デバイスから第３メッセージを受信することをさらに備え、ここにおいて、前記アグリゲートされた媒体アクセス制御プロトコルデータユニットは、前記第３メッセージの受信を確認応答する第３媒体アクセス制御プロトコルデータユニットを含むように生成される、Ｃ２２記載のコンピュータ可読記憶媒体。
［Ｃ２８］
前記方法は、前記アグリゲートされた媒体アクセス制御プロトコルデータユニットの前記送信のための時間レファレンスを含むようにトリガメッセージを送信することをさらに備える、Ｃ２２記載のコンピュータ可読記憶媒体。
［Ｃ２９］
前記トリガメッセージは、アクセスポイントによって送信される、Ｃ２８記載のコンピュータ可読記憶媒体。
［Ｃ３０］
前記トリガメッセージは、クリアツートランスミット（ＣＴＸ）メッセージである、Ｃ２８記載のコンピュータ可読記憶媒体。
［Ｃ３１］
前記第１デバイス及び前記第２デバイスは局であり、前記第３デバイスはアクセスポイントである、Ｃ２２記載のコンピュータ可読記憶媒体。
［Ｃ３２］
ワイヤレス通信の方法であって、
第１デバイスによって、第２デバイスからアグリゲートされた媒体アクセス制御プロトコルデータユニットを受信することと、ここにおいて、前記アグリゲートされた媒体アクセス制御プロトコルデータユニットは、１つ超の媒体アクセス制御プロトコルデータユニットを含む、
前記第１デバイスによって、前記アグリゲートされた媒体アクセス制御プロトコルデータユニットを復号することと、
前記第１デバイスによって、前記アグリゲートされた媒体アクセス制御プロトコルデータユニットの前記復号に基づいて、前記アグリゲートされた媒体アクセス制御プロトコルデータユニットが前記第１デバイスによるメッセージの送信を確認応答しているかどうかを決定することと、
を備える、方法。
［Ｃ３３］
マルチユーザ送信中で前記第２デバイスに前記メッセージを送信することをさらに備える、Ｃ３２記載の方法。
［Ｃ３４］
前記マルチユーザ送信は、マルチユーザ多入力多出力を使用する、Ｃ３３記載の方法。
［Ｃ３５］
前記マルチユーザ送信は、直交周波数分割多重化を使用する、Ｃ３３記載の方法。
［Ｃ３６］
前記第１デバイスが前記アグリゲートされた媒体アクセス制御プロトコルデータユニット中に含まれる媒体アクセス制御プロトコルデータユニットによってユニキャストアドレス指定されるかどうかを決定することと、前記第１デバイスが前記媒体アクセス制御プロトコルデータユニットによってユニキャストアドレス指定されていることに応答して、前記メッセージが確認応答されていると決定することと、をさらに備える、Ｃ３２記載の方法。
［Ｃ３７］
前記第１デバイスによる前記メッセージの前記送信の受信を確認応答する前記アグリゲートされた媒体アクセス制御プロトコルデータユニットの受信のための時間レファレンスを決定するために、トリガメッセージを復号することと、
前記時間レファレンスに基づいて、前記アグリゲートされた媒体アクセス制御プロトコルデータユニットの前記受信の前にスリープステートに入ることと、
をさらに備える、Ｃ３２記載の方法。
［Ｃ３８］
前記トリガメッセージは、クリアツートランスミット（ＣＴＸ）メッセージである、Ｃ３７記載の方法。
［Ｃ３９］
前記第１デバイスは局であり、前記第２デバイスはアクセスポイントである、Ｃ３２記載の方法。
［Ｃ４０］
ワイヤレス通信のための装置であって、
デバイスからアグリゲートされた媒体アクセス制御プロトコルデータユニットを受信するように構成された受信器と、ここにおいて、前記アグリゲートされた媒体アクセス制御プロトコルデータユニットは、１つ超の媒体アクセス制御プロトコルデータユニットを含む、
プロセッサであって、
前記アグリゲートされた媒体アクセス制御プロトコルデータユニットを復号することと、
前記アグリゲートされた媒体アクセス制御プロトコルデータユニットの前記復号に基づいて、前記アグリゲートされた媒体アクセス制御プロトコルデータユニットが前記装置によるメッセージの送信を確認応答しているかどうかを決定することと、
を行うように構成されたプロセッサと、
を備える、装置。
［Ｃ４１］
マルチユーザ送信の一部として前記メッセージを送信するように構成された送信器をさらに備える、Ｃ４０記載の装置。
［Ｃ４２］
前記マルチユーザ送信は、マルチユーザ多入力多出力を使用する、Ｃ４１記載の装置。
［Ｃ４３］
前記マルチユーザ送信は、直交周波数分割多重化を使用する、Ｃ４１記載の装置。
［Ｃ４４］
前記プロセッサは、前記装置が前記アグリゲートされた媒体アクセス制御プロトコルデータユニット中に含まれる媒体アクセス制御プロトコルデータユニットによってユニキャストアドレス指定されるかどうかを決定することと、前記装置が前記媒体アクセス制御プロトコルデータユニットによってユニキャストアドレス指定されていることに応答して、前記メッセージが確認応答されると決定することと、を行うようにさらに構成される、Ｃ４０記載の装置。
［Ｃ４５］
前記受信器は、トリガメッセージを受信するようにさらに構成され、
ここにおいて、前記プロセッサは、前記装置による前記メッセージの前記送信の受信を確認応答する前記アグリゲートされた媒体アクセス制御プロトコルデータユニットの受信のための時間レファレンスを決定するために前記トリガメッセージを復号することと、前記時間レファレンスに基づいて、前記アグリゲートされた媒体アクセス制御プロトコルデータユニットの前記受信の前にスリープステートに入ることと、を行うようにさらに構成される、Ｃ４０記載の装置。
［Ｃ４６］
前記トリガメッセージは、クリアツートランスミット（ＣＴＸ）メッセージである、Ｃ４５記載の装置。
［Ｃ４７］
前記装置は局であり、前記デバイスはアクセスポイントである、Ｃ４０記載の装置。
［Ｃ４８］
ワイヤレス通信のための装置であって、
アグリゲートされた媒体アクセス制御プロトコルデータユニットを受信するための手段と、ここにおいて、前記アグリゲートされた媒体アクセス制御プロトコルデータユニットは、１つ超の媒体アクセス制御プロトコルデータユニットを含む、
前記アグリゲートされた媒体アクセス制御プロトコルデータユニットを復号するための手段と、
前記アグリゲートされた媒体アクセス制御プロトコルデータユニットの前記復号に基づいて、前記アグリゲートされた媒体アクセス制御プロトコルデータユニットが前記装置によるメッセージの送信を確認応答しているかどうかを決定するための手段と、
を備える、装置。
［Ｃ４９］
実行されると、プロセッサにワイヤレス通信の方法を実行させる命令を備える、コンピュータ可読記憶媒体であって、前記方法は、
第１デバイスによって、第２デバイスからアグリゲートされた媒体アクセス制御プロトコルデータユニットを受信することと、ここにおいて、前記アグリゲートされた媒体アクセス制御プロトコルデータユニットは、１つ超の媒体アクセス制御プロトコルデータユニットを含む、
前記アグリゲートされた媒体アクセス制御プロトコルデータユニットを復号することと、
前記アグリゲートされた媒体アクセス制御プロトコルデータユニットの前記復号に基づいて、前記アグリゲートされた媒体アクセス制御プロトコルデータユニットが前記第１デバイスによるメッセージの送信を確認応答しているかどうかを決定することと、
を備える、コンピュータ可読記憶媒体。
［Ｃ５０］
マルチユーザ送信中で前記メッセージを送信することをさらに備える、Ｃ４９記載のコンピュータ可読記憶媒体。
［Ｃ５１］
前記マルチユーザ送信は、マルチユーザ多入力多出力を使用する、Ｃ５０記載のコンピュータ可読記憶媒体。
［Ｃ５２］
前記マルチユーザ送信は、直交周波数分割多重化を使用する、Ｃ５０記載のコンピュータ可読記憶媒体。
［Ｃ５３］
前記方法は、前記第１デバイスが前記アグリゲートされた媒体アクセス制御プロトコルデータユニット中に含まれる媒体アクセス制御プロトコルデータユニットによってユニキャストアドレス指定されるかどうかを決定することと、前記第１デバイスが前記媒体アクセス制御プロトコルデータユニットによってユニキャストアドレス指定されていることに応答して、前記メッセージが確認応答されると決定することと、をさらに備える、Ｃ４９記載のコンピュータ可読記憶媒体。
［Ｃ５４］
前記方法は、
トリガメッセージを受信することと、
前記第１デバイスによる前記メッセージの前記送信の受信を確認応答する前記アグリゲートされた媒体アクセス制御プロトコルデータユニットの受信のための時間レファレンスを決定するために前記トリガメッセージを復号することと、
前記時間レファレンスに基づいて、前記アグリゲートされた媒体アクセス制御プロトコルデータユニットの前記受信の前にスリープステートに入ることと、
をさらに備える、Ｃ４９記載のコンピュータ可読記憶媒体。
［Ｃ５５］
前記トリガメッセージは、クリアツートランスミット（ＣＴＸ）メッセージである、Ｃ５４記載のコンピュータ可読媒体。
［Ｃ５６］
前記第１デバイスは局であり、前記第２デバイスはアクセスポイントである、Ｃ４９記載のコンピュータ可読媒体。